【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
判定条件の成立に基づいて遊技の当否を判定する当否判定手段と、
複数種類の判定図柄を変動表示開始した後に前記判定図柄が仮停止するリーチ演出を経て停止表示した判定図柄の組合せで前記当否判定手段による判定結果を報知可能な表示手段と、
前記当否判定手段の判定結果が当たりになることに基づいて遊技者に有利な特典を付与する特別遊技を実行する特別遊技実行手段と、
を備えた遊技機において、
前記判定図柄の変動中に前記表示手段で演出を表示する演出実行手段を備え、
前記演出実行手段は、前記演出を表示する演出期間を前記リーチ演出成立前の第１分割期間と、前記リーチ演出成立タイミングを含む第２分割期間の複数の分割期間で構成すると共に、各分割期間で実行する演出をそれぞれ個別に選択するように構成され、
前記複数の分割期間の中で最初に表示する第１分割期間では、事前に前記第２分割期間で表示する前記リーチ演出時に仮停止する判定図柄の種類を判断可能な表示の一部を表示する特別演出を実行可能に構成し、
前記特別演出が実行された後の前記第２分割期間では、実行可能な演出のうち前記特別演出で事前に一部を表示した前記リーチ演出から実行されることを特徴とする遊技機。
【手続補正２】
【補正対象書類名】明細書
【補正対象項目名】０００６
【補正方法】変更
【補正の内容】
【０００６】
請求項１の発明は、判定条件の成立に基づいて遊技の当否を判定する当否判定手段と、複数種類の判定図柄を変動表示開始した後に前記判定図柄が仮停止するリーチ演出を経て停止表示した判定図柄の組合せで前記当否判定手段による判定結果を報知可能な表示手段と、前記当否判定手段の判定結果が当たりになることに基づいて遊技者に有利な特典を付与する特別遊技を実行する特別遊技実行手段と、を備えた遊技機において、前記判定図柄の変動中に前記表示手段で演出を表示する演出実行手段を備え、前記演出実行手段は、前記演出を表示する演出期間を前記リーチ演出成立前の第１分割期間と、前記リーチ演出成立タイミングを含む第２分割期間の複数の分割期間で構成すると共に、各分割期間で実行する演出をそれぞれ個別に選択するように構成され、前記複数の分割期間の中で最初に表示する第１分割期間では、事前に前記第２分割期間で表示する前記リーチ演出時に仮停止する判定図柄の種類を判断可能な表示の一部を表示する特別演出を実行可能に構成し、前記特別演出が実行された後の前記第２分割期間では、実行可能な演出のうち前記特別演出で事前に一部を表示した前記リーチ演出から実行されることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項１の発明によれば、演出の表示期間における最初の第１分割期間に、その後の第２分割期間で表示する前記リーチ演出時に仮停止する判定図柄の種類を判断可能な表示の一部を表示する特別演出が実行されるため、その後の分割期間で表示される演出内容に興味を持たせることが可能である。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】０１１８
【補正方法】変更
【補正の内容】
【０１１８】
このように、本実施例では、演出の表示期間における最初の第１分割期間に、その後の各分割期間で表示する演出の一部が分割期間順に表示されるため、その後の分割期間で表示される演出内容に興味を持たせることが可能である。また、停止表示される図柄の組合せ種類がリーチ成立組合せ種類の場合には、他の組合せ種類の場合よりも分割期間数が多くなるため、第１分割期間に表示される分割期間の演出の一部の数について興味を持たせ、分割期間全体の演出についても興味を持たせることが可能となる。さらに、分割期間の数が多い場合には、判定結果が当たりであることに対する期待を高めさせることができ、演出に対する興味を向上させることが可能となる。
本実施例を概念化すると以下のようになる。
（１）判定条件の成立に基づいて遊技の当否を判定する当否判定手段と、判定図柄を変動表示した後に停止表示した判定図柄で前記当否判定手段による判定結果を報知可能な表示手段と、前記当否判定手段の判定結果が当たりになることに基づいて遊技者に有利な特典を付与する特別遊技を実行する特別遊技実行手段と、を備えた遊技機において、前記判定図柄の変動中に前記表示手段で演出を表示する演出実行手段を備え、前記演出実行手段は、前記演出を表示する演出期間を複数の分割期間で構成すると共に、各分割期間で実行する演出をそれぞれ個別に選択するように構成され、前記複数の分割期間の中で最初に表示する第１分割期間では、事前にその後の各分割期間で表示する演出の一部を分割期間順に１又は複数表示する特別演出を実行可能に構成し、前記特別演出中に表示された順番通りに前記第１分割期間以降の演出が実行されることを特徴とする遊技機。
（２）前記表示手段で複数の前記判定図柄を変動表示し、停止表示した複数の前記判定図柄で構成される図柄の組合せ種類によって前記判定結果を報知するように構成し、前記演出実行手段は、前記分割期間の数を選択する分割期間数選択手段を備え、前記分割期間数選択手段は、前記表示手段で停止表示される図柄の組合せ種類を前記特別演出の表示開始前に確認し、前記表示手段で停止表示される図柄の組合せ種類によって前記分割期間の数を異ならせることを特徴とする（１）に記載の遊技機。
（３）前記表示手段で停止表示される図柄の組合せ種類は、リーチ状態を経て停止表示するリーチ成立組み合せと、前記リーチ状態を経ることのないリーチ非成立組み合せと、を含み、前記分割期間数選択手段は、前記表示手段で停止表示される図柄の組合せ種類がリーチ成立組み合せの場合には、リーチ非成立組み合せの場合よりも前記分割期間数が多くなるように前記分割期間の選択を行うことを特徴とする（２）に記載の遊技機。
（４）前記リーチ成立組み合せの第１分割期間は、前記判定図柄の変動表示を開始した後、前記リーチ状態となるまでの期間であることを特徴とする（３）に記載の遊技機。
本実施例は、前記（１）〜（４）により、以下の効果を奏する。
（１）によれば、演出の表示期間における最初の第１分割期間に、その後の各分割期間で表示する演出の一部を分割期間順に表示する特別演出が実行されるため、その後の分割期間で表示される演出内容に興味を持たせることが可能である。
（２）によれば、表示手段で停止表示される図柄の組合せ種類によって分割期間の数を異ならせるため、第１分割期間に表示される分割期間の演出の一部の数について興味を持たせ、さらに分割期間全体の演出についても興味を持たせることが可能となる。
（３）によれば、表示手段で停止表示される図柄の組合せ種類がリーチ成立組合せの場合には、リーチ不成立組合せの場合よりも分割期間数が多くなっているため、第１分割期間に表示される分割期間の演出の一部の数について興味を持たせ、分割期間全体の演出についても興味を持たせることが可能となる。さらに、分割期間の数が多い場合には、判定結果が当たりであることに対する期待を高めさせることができ、演出に対する興味を向上させることが可能となる。
（４）によれば、演出分割期間の第１分割期間は、判定図柄の変動表示を開始した後からリーチ状態となるまでの期間であるため、特別演出を実行することでリーチ状態となる前にリーチ状態となった後の演出内容に興味を持たせることが可能となる。